(57)【要約】【課題】複数枚単位で表面プリント処理と裏面プリント処理とが繰り返す両面プリンタにおいて、プリント中断からのプリント再開が効果的に行われる技術を提供する。【解決手段】画像を形成するためのプリントデータをプリントヘッドに送出する順序を決定するプリントデータ送出順序決定部４２と、プリント処理が中断されるプリント中断事象を検知するプリント処理中断検知部６１と、プリント中断事象において使用不可となったプリントシートを選択する使用不可シート選択画面を通じて入力された使用不可シート選択情報に基づいて、プリント中断時に取り除かれたプリントシートのためのプリントデータを除外すべくプリントデータ送出順序決定部にプリント再開時のプリントデータを指令する再開時プリントデータ指令部６３が備えられている。【選択図】図４
2011183601.tif 000002
【特許請求の範囲】
【請求項１】
画像データから生成されたプリントデータに基づいてプリントヘッドを駆動することでプリントシートの両面に画像を形成して出力する両面プリンタにおいて、
複数枚数のプリントシートの一方面に画像が形成されるように前記プリントシートを搬送し、前記一方面に画像が形成された複数の前記プリントシートの他方面に画像が形成されるように前記プリントシートを搬送する搬送機構と、
前記プリントデータを前記プリントヘッドに送出する順序を決定するプリントデータ送出順序決定部と、
前記プリントシートに対するプリント処理が中断されるプリント中断事象を検知するプリント処理中断検知部と、
プリント中断事象において使用不可となった、少なくとも片面に前記プリントヘッドによって画像が形成されているプリントシートを選択する使用不可シート選択画面を生成する使用不可シート選択画面生成部と、
前記使用不可シート選択画面をモニタに表示する表示制御部と、
前記使用不可シート選択画面を通じて入力された使用不可シート選択情報に基づいて、プリント中断時に取り除かれたプリントシートに画像を形成するためのプリントデータを除外すべく前記プリントデータ送出順序決定部にプリント再開時にプリントヘッドを駆動する再開時プリントデータを指令する再開時プリントデータ指令部と、
が備えられている両面プリンタ。
【請求項２】
プリント中断事象が他方面へのプリント時に生じた場合、前記再開時プリントデータ指令部は、選択された使用不可シートの次のプリントシートに形成される画像のためのプリントデータを前記再開時プリントデータとして指令する請求項１に記載の両面プリンタ。
【請求項３】
前記使用不可シート選択画面には各両面プリント出力のイメージ画像が一覧化されている請求項１又は２に記載の両面プリンタ。
【請求項４】
前記イメージ画像は、一方面に形成される画像の縮小画像と他方面に形成される画像の縮小画像の組み合わせである請求項３に記載の両面プリンタ
【請求項５】
使用不可シートを再出力するためにリカバリープリントを管理するリカバリープリント処理部が備えられ、選択された使用不可シートのプリント出力を管理する請求項１から４のいずれか一項に記載の両面プリンタ。
【発明の詳細な説明】
【技術分野】
【０００１】
本発明は、画像データから生成されたプリントデータに基づいてプリントヘッドを駆動することでプリントシートの両面に画像を形成して出力する両面プリンタに関する。
なお、ここで用いられているプリントシートなる語句は、プリント用紙やプリントフィルムなどの記録媒体であり、あらかじめ短尺にカットされたカットシートやロール状に巻かれプリント前またはプリント後にカットされる長尺シートを含むものの総称である。
【背景技術】
【０００２】
上記のような両面プリンタとして、画像形成すべきページの順序を決定し、該ページの順序に従ってシート状の媒体に画像形成を行う画像形成装置として、画像形成を完了して画像形成装置外部に排出した排出枚数を計数する計数手段と、画像形成が中断したならば、前記計数手段による計数値に基づいて中断までに排出が完了しないページを判断し、該ページに対する画像形成すべきページの順序を再決定するページ順序決定手段と、前記ページ順序決定手段により決定されたページ順序で画像形成を再開する画像形成再開手段とが備えられているものがある（例えば、特許文献１参照）。この装置によれば、画像形成を完了して画像形成装置外部に排出した排出枚数を前記計数手段により計数しておき、画像形成が中断したならば、前記計数手段による計数値に基づいて中断後画像形成を行うページの範囲を決定し、該ページの範囲に対するページの順序を再決定する。そして、前記画像形成再開手段により該ページの順序に従って画像形成を再開する。しかしながら、両面プリント処理において、一方面に画像形成がされた所定枚数のシートを裏面への画像形成のために再びシート搬送経路に投入した場合、その他方面プリントの過程でエラーが生じて画像形成前後のシートが取り除かれてしまうと、計数手段による計数値を利用しても、次に送られてくるシートとその裏面プリントのための画像が一致しなくなる。従って、この装置では、実質的に両面プリントにおける２回目のプリント処理（例えば他方面プリント）における画像形成エラーやシート詰まりエラーが発生して、一方面に対する画像形成が終了しているシートが取り除かれてしまうと、プリントのための画像の並びがずれてしまって、正確なプリント再開が不可能となる。
【０００３】
シート詰まりが発生した際に正しい再開画像を指示する技術が片面プリントの画像形成装置において知られている（例えば、特許文献２参照）。この画像形成装置は、画像表示手段と、各部位における紙詰まりの検出手段、少なくとも対応する画像の出力が終了するまでは、前記画像データを記憶している記憶手段と、および、前記記憶手段が記憶している画像データに対応付けして各部位に存在する記録媒体の情報を管理し、かつ、前記検出手段が紙詰まりを検出した際に、前記記憶手段から紙詰まりに対応する画像データを読み出して前記画像表示手段に表示させ、また、入力指示に従って、記憶手段が記憶している画像データを用いて、紙詰まり後のプリント出力動作を再開する制御手段とを備えている。このように、１枚のシートの1つの画像を形成する片面プリントでは、再開時に最初に画像形成する画像を表示された選択画面から見つけ出すことは比較的簡単である。しかしながら、両面プリントの場合は、シート詰まりしたシートが最初の画像形成目的のものであるかあるいは二回目の画像形成目的のものであるかを判断する必要がある。また、通常、表面と裏面で異なる画像が形成されるので、選択対象となる画像が多くなり、再開時に用いられる最初の画像を指定することは困難である。
【先行技術文献】
【特許文献】
【０００４】
【特許文献１】特開平７−１１７２８５号公報（段落番号〔００１１−００１６〕、図４）
【特許文献２】特開２００５‐２８６５４３号公報（段落番号〔０００９−００１２〕、図４）
【発明の概要】
【発明が解決しようとする課題】
【０００５】
上記実情に鑑み、本発明の目的は、複数枚単位で表面プリント処理と裏面プリントとが繰り返されることで複数枚単位の両面プリントが完了する両面プリンタにおいて、シート詰まりや画像形成エラーなどにより生じたプリント中断からのプリント再開が、正しく、無駄なく行われる技術を提供することである。
【課題を解決するための手段】
【０００６】
画像データから生成されたプリントデータに基づいてプリントヘッドを駆動することでプリントシートの両面に画像を形成して出力する両面プリンタにおいて、上記目的を達成するために、複数枚数のプリントシートの一方面に画像が形成されるように前記プリントシートを搬送し、前記一方面に画像が形成された複数の前記プリントシートの他方面に画像が形成されるように前記プリントシートを搬送する搬送機構と、前記プリントデータを前記プリントヘッドに送出する順序を決定するプリントデータ送出順序決定部と、前記プリントシートに対するプリント処理が中断されるプリント中断事象を検知するプリント処理中断検知部と、プリント中断事象において使用不可となった、少なくとも片面に前記プリントヘッドによって画像が形成されているプリントシートを選択する使用不可シート選択画面を生成する使用不可シート選択画面生成部と、前記使用不可シート選択画面をモニタに表示する表示制御部と、前記使用不可シート選択画面を通じて入力された使用不可シート選択情報に基づいて、プリント中断時に取り除かれたプリントシートに画像を形成するためのプリントデータを除外すべく前記プリントデータ送出順序決定部にプリント再開時にプリントヘッドを駆動する再開時プリントデータを指令する再開時プリントデータ指令部とが備えられている。
【０００７】
この構成によれば、プリント中断が生じ、使用不可となった、少なくとも片面にプリントヘッドによって画像が形成されたプリントシートが生じた場合、使用不可のためにシート搬送経路から取り除かれたプリントシートを、そこに形成されている画像を手がかりにして決定して、使用不可シート画面を通じて入力することができる。この入力された使用不可シート選択情報から再開時プリントデータ指令部がプリント再開時に取り除かれたプリントシートに画像を形成するためのプリントデータを除外すべくプリントヘッドを駆動する再開時プリントデータをプリントデータ送出順序決定部に指令することができる。このように使用不可となったプリントシートを特定して入力するだけで、正しいプリント処理が続行される。
【０００８】
プリントデータ送出順序決定部の好適で具体的な構成として、プリント中断事象が他方面へのプリント時に生じた場合、選択された使用不可シートの次のプリントシートに形成される画像のためのプリントデータを前記再開時プリントデータとして指令するように前記再開時プリントデータ指令部を構成することが提案される。この構成では、使用不可となったプリントシートが生じた場合は、使用不可となったプリントシートに形成される画像のためのプリントデータは破棄して、その次のプリントデータを使ってプリント再開を行うことで、正しいプリント処理が続行される。使用不可となるようなプリントシートが生じなかった場合は、当然プリントデータの順序を変更することなしに、そのままでリント再開を行うことができる。
【０００９】
プリント中断時に、使用不可となったプリントシートを特定する使用不可シート選択情報を入力するための前記使用不可シート選択画面として、特に好適な形態は、各両面プリント出力のイメージ画像、プリントシートを特定するのに容易な選択用イメージ画像が一覧化されている形態である。オペレータは、この選択用イメージ画像から視覚的に破棄プリントシートを特定し、入力することができる。この選択用イメージ画像のより具体的な形態は、プリントシートの一方面に形成される画像の縮小画像と他方面に形成される画像の縮小画像の組み合わせである。つまり、各プリントシートを、それに形成されるべき表面画像と裏面画像とを確認できる形態で特定することができるので、破棄したプリントシートに形成されている画像を手がかりとして、使用不可シート選択画面での選択用イメージ画像を見比べることにより、容易に簡単に使用不可となったプリントシートを特定して使用不可シート選択情報を入力することができる。
【００１０】
本発明の好適な実施形態の１つでは、前記使用不可シートを新たに出力するためにリカバリープリントを管理するリカバリープリント処理部が備えられ、選択された使用不可シートのプリントデータの送出をプリントデータ送出順序決定部に依頼するように構成されている。これにより、使用不可シートを除いた残りの両面プリントを出力したのち、カバリープリント処理部による制御に基づいて使用不可シートと同等な両面プリントを新たに出力することで、注文通りの両面プリント処理が完了する。
【図面の簡単な説明】
【００１１】
【図１】本発明による両面プリンタの模式化された断面を示す断面図である。
【図２】コントローラに構築される本発明に関係する諸機能を示す機能ブロック図である。
【図３】プリントデータ処理モジュール及びプリント制御モジュールで実行される処理を模式的に示した説明図である。
【図４】表面プリント後の裏面プリントにおいてプリント中断が起こった際の処理例を模式的に示した説明図である。
【図５】プリント中断時にモニタ表示される使用不可シート選択画面の一例を示す説明図である。
【図６】プリント中断によって取り除かれたプリントシートを新たに作成するリカバリープリント処理を模式的に示した説明図である。
【発明を実施するための形態】
【００１２】
以下、本発明の実施の形態を図面に基づいて説明する。図１は、本発明による両面プリンタの一例としてのマガジン式シート供給と手差しシート供給が可能なインクジェット式プリンタの模式化された断面を示す断面図である。この両面プリンタはドライミニラボとも呼ばれ、写真プリントサービス店などに設置されるものであり、筐体の下部にシートマガジン１１が配置されている。詳しくは図示されていないが、シートマガジン１１にはプリントシートの送り出しを行う圧着型のフィードローラが設けられている。
【００１３】
搬送ベルトを用いた搬送機構部と搬送ローラを用いた搬送機構部とが搬送箇所に応じて適切に使い分けられている搬送機構１０によってプリントシートはプリントの各機能部をその機能目的に適した速度で搬送される。プリントヘッド１５にプリントシートを供給するシート供給搬送機構には、シートマガジン１１にセットされたプリントシートを送り出すマガジン供給経路１３と、手差し供給台１６にセットされたプリントシートを送り出す手差し供給経路１２と、これらの経路を合流させて供給する供給ローラセット１４が含まれている。プリントシート搬送方向でプリントヘッド１５の下流側には、シート排出搬送機構として、プリントシートの表裏を逆転させるスイッチバック機構１７と、プリントシートの乾燥を行う乾燥ユニット１８が設けられている。シート排出搬送機構の最終部は、筐体から筐体の外側上面にプリントシートを排出する排出部１９である、ここから排出されたプリントシートは、搬送ベルトによってここでは図示されていないソータのトレーにプリント注文毎に蓄積される。つまり、この搬送機構１０は、所定の複数枚数のプリントシートの一方面に画像が形成されるようにプリントシートを搬送し、一方面に画像が形成された複数のプリントシートの他方面に画像が形成されるようにプリントシートを搬送する機能を有する。
【００１４】
なお、両面プリントの場合には、ソータに蓄積された注文枚数のプリントシートをさらに手差し供給台１６に、先にプリントヘッド１５によって画像形成された一方面とは反対の他方面がプリントヘッド１５によって画像形成されるように、セットされる。その後、プリントヘッド１５によって他方面が画像形成されることで、ソータのトレーに両面プリント出力されたプリントシートが蓄積される。なお、以後は、プリントシートの一方面を表面、他方面を裏面と称する。
【００１５】
この実施形態で用いられているプリントヘッド１５は、インクジェット式であり、プリントシート搬送方向に直交する主走査方向にスライド移動可能に構成されている。図示されていないが、プリントヘッド１５には、複数のインクカートリッジから異なる色相のインクが供給される。尚、夫々のインクの色相としては、ブラック（ＢＫ）、ライトブラック（ＬＫ）、シアン（Ｃ）、マゼンタ（Ｍ）、ライトシアン（ＬＣ）、ライトマゼンタ（ＬＭ）、イエロー（Ｙ）が用いられる。なお、プリントヘッド１５は、インクジェット式以外にも、昇華方式、レーザプリント方式など両面プリントが可能な種々の画像形成方式を採用することが可能である。
【００１６】
このプリント装置におけるプリントヘッド１５の駆動制御や、シート収納体から引き出されたプリントシートの搬送レーンを用いた搬送制御を行うためにコントローラ１００が筐体内部に設置されている。このコントローラ１００は、図２で示すように、実質的にはコンピュータによって構成されており、プログラム又はハードウエアあるいはその両方によってプリント処理に必要な制御機能を作り出している。なお、この実施形態では、両面プリンタとは別体構成でプリント注文受付ユニット２が設置されるので、プリント受付ユニット２において顧客から指示に基づいて生成された画像データやプリント注文データからなるプリント注文情報は、無線又は有線ＬＡＮを通じてコントローラ１００のデータ入力部に送信される。もちろん、キヨスク端末のような自動注文プリント装置では、プリンタとプリント注文受付ユニットとが一体化され、プリント注文情報の生成モジュールもコントローラ１００に組み込まれる。
【００１７】
コントローラ１００において構築される、本発明に特に関する機能モジュールとして、画像処理モジュール３と、プリントデータ処理モジュール４と、プリント制御モジュール５と、プリントエラー処理モジュール６と、表示制御モジュール７とが挙げられる。画像処理モジュール３は、入力された画像データを、注文データに示された画像形成条件や予め設定されているフォトレタッチアルゴリズムに基づいて処理し、写真プリントに適した画像データに変換する。プリントデータ処理モジュール４は、画像処理モジュール３から出力された画像データをプリントヘッド１５に適したプリントデータに変換するプリントデータ生成部４１と、当該プリントデータをプリントヘッド１５に送出する順序を決定するプリントデータ送出順序決定部４２とを有する。プリント制御モジュール５は、搬送機構１０の制御を行う搬送制御部５１と、プリントヘッド１５の駆動制御を行うプリントヘッド制御部５２を有する。これらは、プリンタ技術においてはよく知られているので、ここでは詳しい説明を省略する。表示制御モジュール７は、液晶ディスプレイユニットなどによって構成されるモニタ７１に表示されるべき各種表示内容をモニタ７１に適した表示信号として生成する表示制御部としての機能を有する。
【００１８】
プリントエラー処理モジュール６は、本発明の中核的な機能を有するもので、プリント処理中断検知部６１、使用不可シート選択画面生成部６２、再開時プリントデータ指令部６３、リカバリープリント処理部６４を含んでいる。
シート詰まり、インク切れ等のプリントヘッドの機能不全、不測の筐体扉の開放など、種々の原因によってプリント処理が中断されるが、プリント処理中断検知部６１は、各箇所に設けられたセンサからの信号などに基づいてそのプリント中断事象を検知する。使用不可シート選択画面生成部６２は、プリント処理中断検知部６１によってプリント中断事象が検知されると、プリント中断事象において使用不可となった、少なくとも片面に前記プリントヘッドによって画像が形成されているプリントシートを選択する使用不可シート選択画面を生成する。ここで使用不可のプリントシートとは、プリントヘッド１５による画像形成中、画像形成前、画像形成後のいずれかの状況下のプリントシートが搬送機構１０の搬送経路から取り除かれて破棄されてしまうプリントシートを意味している。この実施形態では、後で詳しく説明されるが、使用不可シート選択画面生成部６２によって生成される使用不可シート選択画面には各両面プリント出力のイメージ画像が一覧化され、当該イメージ画像は、表面に形成される画像の縮小画像と裏面に形成される画像の縮小画像の組み合わせであり、それにより特定の１枚のプリントシートが示される。
再開時プリントデータ指令部６３は、使用不可シート画面を通じて入力された使用不可シート選択情報に基づいて、プリント中断時に取り除かれたプリントシートに画像を形成するためのプリントデータを除外すべくプリントデータ送出順序決定部４２にプリント再開時にプリントヘッド１５を駆動する再開時プリントデータを指令する。リカバリープリント処理部６４は、使用不可シート選択画面を通じて使用不可と指定され搬送経路から取り出して、破棄されたプリントシートを新たに出力する処理を管理する。そのため、両面プリント処理時では、使用不可となったプリントシートに表面と裏面とに形成される各画像のプリントデータをプリントデータ送出順序決定部４２に指令する。リカバリープリント処理部６４によって、プリント中断によって破棄されたプリントシートは、その後続行されたプリント処理の最後にプリント出力される。
【００１９】
上述のように構成されたコントローラ１００による、両面プリント処理とその処理中に発生したプリント中断事象に対する処理を、図３、図４、図５を用いて説明する。図３は、プリントデータ処理モジュール４で実行される処理とプリント制御モジュール５で実行される処理を模式的に示した説明図である。図３に示されたプリントデータ処理モジュール４で実行される処理は、写真アルバム等の冊子を作製するための両面プリントにおいて、各プリントシートの表面に形成される画像のために割り当てられるプリントデータと、裏面に形成される画像のために割り当てられるプリントデータを模式的に示している。ここで、Ｐnａはｎ枚目のプリントシートの表面、Ｐnｂはｎ枚目のプリントシートの裏面、Ｇnａはｎ枚目の表面に形成される画像に対応するプリントデータ、Ｇnｂはｎ枚目の裏面に形成される画像に対応するプリントデータである（ｎは自然数）。図から明らかなように、冊子頁を構成する各プリントシートに画像データから変換されたプリントデータが注文情報に応じて割り付けられており、これに基づいてプリントデータ送出順序決定部４２がプリントデータのプリントヘッド１５への送出順序を決定する。
その後に、プリントデータ処理モジュール５で実行される図３に示された処理は、まず表面プリントとして、１枚目のプリントシートの表面（Ｐ1ａ）にＧ１ａで示されたプリントデータに基づく画像が形成される。順次、ｎ枚目のプリントシートの表面（Ｐnａ）にＧnａで示されるプリントデータに基づく画像が形成される。全てのページのプリントシートの表面に画像が形成されるとこれらの裏面への画像形成である裏面プリントが行われる。つまり、１枚目のプリントシートの裏面（Ｐ1ｂ）にＧ１ｂで示されたプリントデータに基づく画像が形成される。順次、ｎ枚目のプリントシートの裏面（Ｐnｂ）にＧnｂで示されるプリントデータに基づく画像が形成される。全てのページのプリントシートの表面に画像が形成されると、両面プリントが終了し、所定頁の冊子用プリントシートが完成する。
【００２０】
図４は、図３で模式的に示されたような両面プリントにおいて、特にその表面プリント後の裏面プリントにおいてプリント中断が起こった際の処理例を模式的に示している。まず、表面プリントでは、プリントデータ送出順序決定部４２によって決定された順序で表面画像用のプリントデータがプリントヘッド１５に送出されることで、１枚目から最終枚目のプリントシートの表面に正しい画像が形成される。次に、一時的に蓄積された表面画像形成済みプリントシートに対する裏面プリントが行われる。ここでも、プリントデータ送出順序決定部４２によって決定された順序で裏面画像用のプリントデータがプリントヘッド１５に送出されることで、再び所定の順序で、ここではまた１枚目からプリントシートの裏面に画像が形成される。図４の例では、２枚目のプリントシートの裏面：Ｐ2ｂに、プリントデータ：Ｇ2ｂに基づく画像を形成している途中にプリント処理中断検知部６１がプリント処理のシート詰まり等のプリント中断事象検出したことによる裏プリント処理の中断を示している。
【００２１】
プリント処理中に、プリント中断事象が発生すると、シート詰まりの点検作業やインクの補充などの作業を通じてプリント中断が解消されるが、プリント再開においては、単純にプリント中断事象の発生時に状態から各種処理を続行した場合、不都合が生じる恐れがある。例えば、画像が形成されたプリントシートが汚れや破れなどにより使用不可となった場合である。このようなプリントシートは搬送機構１０の搬送経路から取り除いて破棄することになるので、当該画像を形成したプリントシートを新たに出力しなければならない。このプリント中断が表面プリント時の場合、その破棄したプリントシートに形成された画像のためのプリントデータから再度プリントデータを送りなおしてプリント処理を行うとよい。しかしながら、このプリント中断が裏面プリント時の場合、そのプリントシートの表面には既にその表面に割り当てられた画像が形成されているので、単に破棄したプリントシートに形成された裏面プリント画像のためのプリントデータから再度プリントデータを送りなおしても、対応するプリントシートがずれているので正しい両面プリントが出力されない。しかも、滞留している、残りの表面プリント処理済みのプリントシートを生かすためには、破棄したプリントシートの作成は一時的に中止して、次の滞留している表面プリント処理済みのプリントシートに対する裏面プリントを行う必要がある。これを正しく行うためには、破棄したプリントシートのための裏面画像のプリントデータの直後のプリントデータから再度プリントデータを送りなおしてプリント処理を行うとよい。
【００２２】
なお、図４の例では、そのプリント中断によって、裏プリント実行中であったプリントシートの裏面：Ｐ2ｂが使用不可として破棄されている。従って、使用不可シート選択画面を通じて２枚目のプリントシートが選択される。このプリント中断が裏面プリント時であること、及び使用不可シートとしてプリントシートの裏面：Ｐ2ｂが選択されたことから、再開時プリントデータ司令部６３は、プリントデータ：Ｇ2ｂのプリントデータ列からの排除をプリントデータ送出順序決定部４２に指令する。この排除指令を受けて、プリントデータ送出順序決定部４２はプリント再開時にプリントデータ：Ｇ3ｂをプリントヘッド１５に送出することで、プリント再開時にプリントヘッド１５に搬送されてくる３枚目のプリントシートの裏面：Ｐ3ｂにプリントデータ：Ｇ3ｂに基づく画像を形成することができる。これにより、特定のプリントシートを取り除くようなプリント中断が生じても、それ以降の、しかも表面に画像が既に形成されているプリントシートを無駄にすることがなくなる。
【００２３】
プリント処理中断検知部６１がプリント中断事象を検出すると、オペレータが使用不可シート選択を行うための選択画面が使用不可シート選択画面生成部６２によって生成され、モニタ７１に表示されるが、その例が図５に示されている。
図５の（ａ）には、表面プリント時にプリント中断事象が検出されたときに表示される使用不可シート選択画面が示されている。その際、プリントシートやそこに形成される画像に不都合がなく、プリントシートが破棄されずにそのまま使用できるようなケースでは、画面に配置されている「使用不可シートなし」をチェックして、「ＯＫ」ボタンを押すことで、プリント再開時にはプリントデータの順序変更なしでそのままの状態で表面プリントが続行される。これに対して、プリントシートやそこに形成される画像に不都合があり、プリントシートが破棄されてしまうケースでは、画面に表示されている各プリントシートに割り当てられている表面画像のサムネイル画像（縮小画像）の一覧から、破棄したプリントシート、つまりその表面画像を選択する。これにより、プリント再開時には選択されたプリントシートの表面に形成される画像に対応するプリントデータの次のプリントデータが繰り上がって、そこから順次プリントヘッドに送出される。
図５の（ｂ）には、裏面プリント時にプリント中断事象が検出されたときに表示される使用不可シート選択画面が示されている。この場合でも、プリントシートやそこに形成される画像に不都合がなく、プリントシートが破棄されずにそのまま使用できるようなケースでは、画面に配置されている「使用不可シートなし」をチェックして、「ＯＫ」ボタンを押すことで、プリント再開時にはプリントデータの順序変更なしでそのままの状態で裏面プリントが続行される。これに対して、プリントシートやそこに形成される画像に不都合があり、プリントシートが破棄されてしまうケースでは、画面に表示されている各プリントシートに割り当てられている表面画像サムネイル画像（縮小画像）と裏面画像のサムネイル画像（縮小画像）とを組み合わせたプリントシートを特定する画像対の一覧から、破棄したプリントシートを選択する。これにより、プリント再開時には選択されたプリントシートの裏面に形成される画像に対応するプリントデータの次のプリントデータが繰り上がって、そこから順次プリントヘッドに送出される。
【００２４】
プリント中断によって破棄されたプリントシートは、リカバリープリント処理部６４によって続行されたプリント処理の最後にプリント出力される。このリカバリープリント処理部６４によるリカバリープリント処理の一例が図６に模式的に示されている。この例では、裏面プリント時のプリント中断の際にＰ2ｂで示された裏面をもつプリントシート（2枚目）が取り除かれ、破棄されたとしている。従って、プリントデータ送出順序決定部４２はＧ2ｂで示されたプリントデータを除去している。このプリントデータに除去情報はリカバリープリント処理部６４に通知されているので、リカバリープリント処理部６４はその除去したプリントデータが割り当てられていたプリントシートを新たにプリント出力するために、その表面画像を形成するためのプリントデータ：Ｇ2ａと表面画像を形成するためのプリントデータ：Ｇ2ｂの送り出しをプリントデータ送出順序決定部４２に依頼する。これによって両面プリントされたプリントシートは、先に仕上がっている同じ注文のプリントシート群の適切な位置に挿入され、この注文プリントが完了する。
【００２５】
本発明を実施するにあたっての好適な形態を以下に例示する。
（１）上述した説明では、プリント中断によって破棄されたプリントシートを出力するリカバリープリント処理は、プリント中断が生じたプリント処理の最後に実行されていたが、このリカバリー処理は当該プリント処理に完全に組み込まれてもよい。つまり、プリント中断が生じたプリント処理の最終枚の裏面画像の形成に続いて、新規の所定の１枚以上のプリントシートにリカバリープリントのための表面画像を形成し、プリント中断が生じたプリント処理の最終枚の上に載せられる。さらにその表面画像だけが形成されたリカバリープリントシートを取り出して、再びプリントヘッドに送り込むことでそのプリントシートの裏面に裏面画像の形成が実行される。出力されたリカバリープリントとしてのプリントシートは先に出力された冊子を構成するプリントシート群の適切な場所に挿入される。
（２）
プリント中断によって破棄されたプリントシートの代わりとしてリカバリープリント処理部６４によって再度プリント出力されたプリントシートが利用されるが、プリント中断されたプリント処理の最後にプリント出力される。このプリントシートは、先に仕上がっている中断された注文のプリントシート群の適切な位置に挿入しなければならない。この挿入作業を簡単にするためプリントシート群における挿入を示す箇所を何らかの形で示すことが好ましい。例えば、シート排出搬送機構の最終部に設けられは、筐体の外側上面にプリントシートを排出する排出部１９における排出速度を可変とする。そして、リカバリープリント処理によるプリントシートを挿入すべき位置となるプリントシートをより高速または低速で駆動することで、このプリントシートに他のプリントシートから突出する部分が生じる。これによって、リカバリープリント処理によるプリントシートの挿入先が明示されることになる。
（３）
前述した実施の形態の説明における使用不可シート選択画面では、注文単位で全数を一覧表示する形態となっていた。コントローラ１００は、少なくともプリント中断を生じた時点で取り扱われている画像は把握しているので、取り除かれる可能性のあるプリントシートを推定することができるので、全数一覧表示に代えて、使用不可となる可能性のあるプリントシートに関する撮影画像だけを一覧表示する形態を採用してもよい。
【符号の説明】
【００２６】
３：画像処理モジュール
４：プリントデータ処理モジュール
４１：プリントデータ生成部
４２：プリントデータ送出順序決定部
５：プリント制御モジュール
６：プリントエラー処理モジュール
６１：プリント処理中断検知部
６２：使用不可シート選択画面生成部
６３：再開時プリントデータ指令部
６４：リカバリープリント処理部
７：表示制御モジュール（表示制御部）
１５：プリントヘッド
【図１】
2011183601.tif 000003
【図２】
2011183601.tif 000004
【図３】
2011183601.tif 000005
【図４】
2011183601.tif 000006
【図５】
2011183601.tif 000007
【図６】
2011183601.tif 000008